(57)【要約】【課題】ズーム位置の表示に要する電力の消費を低減し、電池寿命向上を図ることができるカメラを提供する。【解決手段】カメラ１は、リモコン送信機３からのズーム操作信号に基づいて撮影レンズ７のズーム位置を移動させる遠隔ズーミング手段と、リモコン送信機３からズーム位置の表示を要求する表示要求信号又はズーム操作信号を受信した場合には、所定時間のみズーム位置の表示を被写体の方向から見えるように行うズーム位置表示手段１７と、を備えている。【選択図】  図５
2004325676.tif 000002
【特許請求の範囲】
【請求項１】
リモコン送信機からのズーム操作信号に基づいて撮影レンズのズーム位置を移動させる遠隔ズーミング手段と、
前記ズーム位置の表示を要求する表示要求信号又は前記ズーム操作信号を前記リモコン送信機から受信した場合には、所定時間のみ前記ズーム位置の表示を被写体の方向から見えるように行うズーム位置表示手段と、
を備えたカメラ。
【請求項２】
所定のズーム操作に基づいて撮影レンズのズーム位置を移動させるズーム移動手段と、
前記ズーム位置の移動方向及び前記ズーム位置に基づき、被写体の方向から見えるように所定の表示を行うズーム移動表示手段と、
を備え、
前記ズーム移動表示手段は、
前記ズーム位置の移動方向の表示を所定時間行うと共に、前記ズーム位置の表示を所定時間行うものである
ことを特徴とするカメラ。
【発明の詳細な説明】
【０００１】
【発明の属する技術分野】
本発明はカメラに関する。
【０００２】
【従来の技術】
写真撮影において、リモコン撮影を行う場合は被写体自身がカメラの撮影者となる場合が多いため、撮影者は撮影時にはカメラの近傍にはおらず、被写体の位置にいることが多い。撮影者が被写体の位置にいながら適切なカメラの操作を可能にするために、被写体の位置から撮影レンズのズーム位置を確認できるようにすることが必要である。従来のカメラとしては、リモコン撮影モードに設定されている間（リモートコントロール待機状態）において遠隔操作によって撮影レンズのズーム位置を設定することが可能で、設定されたズーム位置を被写体の方向から見えるように表示するものが知られている（例えば、特許文献１参照）
【０００３】
【特許文献１】
特許第２９２５５７４号公報
【０００４】
【発明が解決しようとする課題】
しかしながら、特許文献１記載のカメラは、リモコン撮影モードに設定されている間、常に各時点におけるズーム位置を表示することとしている。このため、リモコン撮影モードに設定された間はズーム位置の表示に要する電力の消費が大きく、電池寿命向上の妨げとなっていた。
【０００５】
そこで、本発明は上記問題点を解決し、ズーム位置の表示に要する電力の消費を低減し、電池寿命向上を図ることができるカメラを提供することを目的とする。
【０００６】
【課題を解決するための手段】
上記問題点を解決するため、本発明のカメラは、リモコン送信機からのズーム操作信号に基づいて撮影レンズのズーム位置を移動させる遠隔ズーミング手段と、ズーム位置の表示を要求する表示要求信号又はズーム操作信号をリモコン送信機から受信した場合には、所定時間のみズーム位置の表示を被写体の方向から見えるように行うズーム位置表示手段と、を備えている。
【０００７】
上記カメラによれば、表示要求信号又はズーム操作信号を受信した場合にはズーム位置の表示を行うこととし、そのズーム位置の表示は所定の時間のみ行われるので、表示のための電力消費を低減し、電池寿命向上を図ることができる。また、上記カメラは表示要求信号を受信したときにもズーム位置表示が行われることとしており、撮影者は知りたいときにいつでもズーム位置を知ることができる。このためズーム位置の表示を常時行う必要がなくなる。
【０００８】
また、本発明のカメラは、所定のズーム操作に基づいて撮影レンズのズーム位置を移動させるズーム移動手段と、ズーム位置の移動方向及びズーム位置に基づき、被写体の方向から見えるように所定の表示を行うズーム移動表示手段と、を備え、ズーム移動表示手段は、ズーム位置の移動方向の表示を所定時間行うと共に、ズーム位置の表示を所定時間行うものであることを特徴とする。
【０００９】
上記カメラによれば、ズーム位置が移動された場合の表示は、所定時間のみ行われるので、表示のための電力消費を低減し、電池寿命向上を図ることができる。また、表示はズーム位置の移動方向（ワイド方向又はテレ方向の何れか）を表わす表示を含むので、撮影者はズーム位置が何れの側に移動されたかを知ることができ、ズーム位置の移動の方向に応じた適切な操作が可能となる。また、ズーム移動表示手段は、ズーム位置の表示だけでなく、ズーム位置の移動方向の表示を併せて行うこととしているので、撮影者の目を惹きやすく、ズーム位置の移動方向やズーム位置の確認が容易となる。
【００１０】
【発明の実施の形態】
以下、本発明の実施の形態について説明する。なお、同一要素には同一符号を用い、重複する説明は省略する。
【００１１】
（第１実施形態）
図１は本発明の第１実施形態に係るカメラ１、及びカメラ１を遠隔操作するリモコン３（リモコン送信機）を示す正面の斜視図である。
【００１２】
カメラ１の正面にはフラッシュ７１を内蔵しフラッシュ７１の光を出射するフラッシュ窓５と、被写体像を銀塩フイルムに結像する撮影レンズ７を有する鏡胴８と、撮影者が被写体を確認するファインダ窓９と、被写体距離を測定するアクティブタイプのＡＦセンサが内蔵されているＡＦ投光窓１１ａ、ＡＦ受光窓１１ｂと、被写体の明るさを測定する測光センサが内蔵されている測光窓１３と、撮影者がシャッタレリーズを指示する際に操作するレリーズボタン１５と、カメラ１の動作状態を表示する表示部１７が設けられている。
【００１３】
表示部１７は、ＬＥＤ１７ａ、１７ｂ、１７ｃを有している。表示部１７はＬＥＤ１７ａ、１７ｂ、１７ｃの発光状態によってカメラ１の動作状態を表示する。表示するカメラ１の動作状態としては、例えば、現在設定されている撮影レンズ７のズーム位置、ズーム位置を移動した場合の移動方向、フラッシュ窓５に内蔵されたフラッシュ７１を発光させる電力の蓄電状態（例えばメインコンデンサの電圧）、セルフタイマ撮影モードにおけるシャッタが切れるまでの残り時間、リモコン撮影モードでレリーズ待機中である状態等が挙げられる。発光状態による表示の方法としては、例えば、各ＬＥＤ１７ａ、１７ｂ、１７ｃの点灯・消灯の組み合わせによる表示や、各ＬＥＤ１７ａ、１７ｂ、１７ｃの点滅周期による表示等が挙げられる。表示部１７は上記のとおりカメラ１の正面に設けられており、被写体側から見えるように配置されている。
【００１４】
図２は本発明の実施形態に係るカメラ１及びリモコン３を示す背面の斜視図である。
【００１５】
カメラ１の背面には、カメラ１の電源のオン・オフの切り替えを行う電源スイッチ１９と、リモコン撮影モード、セルフタイマ撮影モード等の撮影モード切り替えを行う撮影モード設定スイッチ２１と、リモコン撮影、セルフタイマ撮影の設定を行うリモコン／セルフ設定スイッチ２３と、ズーム位置をワイド方向（画角が広がる方向）に移動するＷＩＤＥスイッチ２７ａ又はテレ方向（画角が狭まる方向）に移動するＴＥＬＥスイッチ２７ｂと、撮影者が被写体を確認するファインダ接眼窓２９が設けられている。
【００１６】
リモコン３は、カメラ１に所定の処理を行わせるための信号を無線で送信するものである。リモコン３から送信される信号としては、カメラ１にレリーズ動作を行わせるレリーズ信号、カメラ１の電源をオンするパワーオン信号、ズーム位置をワイド方向又はテレ方向に移動させるズーム操作信号、ズーム位置の表示を要求する表示要求信号等が挙げられる。本実施形態においてリモコン３は、ズーム位置をワイド方向へ移動させる信号（ズーム操作信号）を送信するＷＩＤＥスイッチ３ａ、テレ方向に移動させる信号（ズーム操作信号）を送信するＴＥＬＥスイッチ３ｂ、レリーズ信号を送信する遠隔レリーズスイッチ３ｃ、を有している。また、これらのスイッチに対し所定の操作を行うによって、パワーオン信号、表示要求信号等の他の遠隔操作信号を送信することもできる。
【００１７】
ＷＩＤＥスイッチ２７ａ又はＴＥＬＥスイッチ２７ｂは、撮影レンズ７のズーム位置（画角の設定角度）を移動させる操作を受け付けるスイッチである。撮影レンズ７はこれらの操作又はリモコン３から受信したズーム操作信号の指示に応じて軸Ａ方向に前後移動し、この前後移動によりズーム位置が移動するようになっている。鏡胴８は撮影レンズ７の前後移動に応じて軸Ａ方向に伸縮するようになっている。カメラ１においてはズーム位置を、画角が広いワイド（Ｗ）、画角が狭いテレ（Ｔ）、ワイドとテレとの中間の画角の広さであるミドル（Ｍ）の３段階に設定することができるようになっている。
【００１８】
次に、図３を参照してカメラ１について詳しく説明する。図３は、図１、図２に示したカメラ１の構成を示すブロック図である。
【００１９】
図３に示すように、カメラ１には、全体の制御を行うＣＰＵ３１が設けられている。ＣＰＵ３１は、制御・演算処理のためのプログラムを予め記憶しているＲＯＭ３３、及び制御・演算の際に各種データを記憶するＲＡＭ３５が内蔵されている。また、ＣＰＵ５０には、電源回路３７、ＬＣＤ３９、ブザー４１、ＬＥＤ群４３、デート写込部４７、リモコン受信回路４９、フラッシュ回路５１、測光回路５３、ＡＦ回路５５、ＥＥＰＲＯＭ５７、スイッチ群５９、モータードライバー６１、鏡胴駆動部６３、フィルム給送部６５、シャッター駆動部６７、及び時計回路６９が接続されている。
【００２０】
電源回路３７は、電池等からの電力をＣＰＵ３１に供給するためのものである。ＬＣＤ３９は、電池等の残容量（蓄電量）やＣＰＵ３１に計時されている日時を表示するものである。ブザー４１は、信号の送信時に送信したことを示す報知音等を発するものである。
【００２１】
ＬＥＤ群４３は、ＬＥＤ１７ａ、１７ｂ、１７ｃ等を有しており、上述したとおりＬＥＤ１７ａ、１７ｂ、１７ｃの発光状態によって、カメラ１の動作状態を示すものである。ＬＥＤ１７ａ、１７ｂ、１７ｃは上述した表示部１７（図１参照）を構成している。デート写込部４７は、撮影が実施された日時等をフィルムに写し込むためのものである。リモコン受信回路４９は、リモコン３からのレリーズ信号、パワーオン信号、表示要求信号、ズーム操作信号等の遠隔操作信号を受信するものである。
【００２２】
フラッシュ回路５１は、フラッシュ窓５内に内蔵されたフラッシュ７１を有し、ＣＰＵ３１による制御の下、選択されたモード（フラッシュ発光態様等に関するモード）に従ってフラッシュ７１を発光させるものである。
【００２３】
測光回路５３は、被写体光の輝度を検出して、自動露出時の絞り値やシャッタ速度を決定するためのものである。ＡＦ回路５５は、ＡＦ投光窓１１ａおよびＡＦ受光窓１１ｂの中に発光体および受光体それぞれを有し、これら発光体および受光体を用いた三角測距の原理により、ＣＰＵ３１による指示により被写体までの距離を測定し、その測定結果をＣＰＵ３１に送るものである。ＥＥＰＲＯＭ５７は、各時点におけるリモコン３の状態や各種の制御パラメータ等を記憶するものである。
【００２４】
スイッチ群５９は、電源スイッチ１９、撮影モード設定スイッチ２１、リモコン／セルフ設定スイッチ２３、レリーズボタン１５、ＷＩＤＥスイッチ２７ａ及びＴＥＬＥスイッチ２７ｂ等の撮影に関するスイッチを有している（図１、図２参照）。レリーズボタン１５は、カメラ１にレリーズ動作を行わせるためのものである。撮影者は、これを操作することにより撮影を行うことができる。ＷＩＤＥスイッチ２７ａ及びＴＥＬＥスイッチ２７ｂは、ズーム位置の移動を行うためのものである。撮影者は、ＷＩＤＥスイッチ２７ａ及びＴＥＬＥスイッチ２７ｂを操作することにより、ズーム位置を移動させ、画角を変えての写真撮影が可能となる。
【００２５】
撮影モード設定スイッチ２１によりカメラ１の撮影モードをリモコン撮影モード、セルフタイマ撮影モードに設定することができる。リモコン撮影モードに設定されているときは、カメラ１はリモコン受信回路４９で受信したリモコン３の遠隔操作信号に従って動作する。セルフタイマ撮影モードに設定されている場合には、カメラ１はレリーズボタン１５が操作された後、所定の時間の経過後にレリーズ動作を行う。
【００２６】
モータードライバー６１は、ＣＰＵ３１からの制御信号を受けて鏡胴駆動部６３、フィルム給送部６５、及びシャッタ駆動部６７に駆動信号を出力するものである。この駆動信号を受けることにより、鏡胴駆動部６３は撮影レンズ７を移動するとともにレンズ鏡胴の繰り出し及び繰り込みの駆動を行い、フィルム給送部６５は装填されているフィルムを順方向または逆方向に給送し、シャッタ駆動部６７はシャッタの開閉駆動を行う。
【００２７】
図４を参照しＣＰＵ３１に接続されたＬＥＤ群４３、リモコン受信回路４９、ＷＩＤＥスイッチ２７ａ及びＴＥＬＥスイッチ２７ｂを含むスイッチ群５９、鏡胴駆動部６３について更に説明する。図４はこれらを示した模式図である。
【００２８】
ＬＥＤ群４３は、ＬＥＤ１７ａ、１７ｂ、１７ｃそれぞれを含む回路を有している。上記それぞれの回路は端子４３ａ、４３ｂ、４３ｃでそれぞれＣＰＵ３１に接続されている。ＬＥＤ１７ａ、１７ｂ、１７ｃは表示部１７を構成する。
【００２９】
リモコン受信回路４９は、リモコン３から表示要求信号やズーム操作信号といった遠隔操作信号を受信し、受信した信号をＣＰＵ３１へ送信する。スイッチ群５９に含まれるＷＩＤＥスイッチ２７ａ及びＴＥＬＥスイッチ２７ｂは撮影者の操作を電気信号へ変換し、ＣＰＵ３１へ送信する。
【００３０】
鏡胴駆動部６３はＣＰＵ３１からの制御信号を受けてモータを駆動し、撮影レンズ７のズーム位置を移動させる。また鏡胴駆動部６３はズーム位置検出部６３ｈを含んでいる。ズーム位置検出部６３ｈは各時点におけるズーム位置を検出し、電気信号へ変換してＣＰＵ３１へ送信する。
【００３１】
ＣＰＵ３１はＲＯＭ３３等に予め記憶された制御プログラムに従った処理を行うことにより動作する機能的な構成要素として発光制御部４２、ズーム制御部６２を有している。発光制御部４２は制御プログラムに従い、端子４３ａ、４３ｂ、４３ｃの電位を上下することによって、ＬＥＤ１７ａ、１７ｂ、１７ｃそれぞれを適宜点灯、消灯させる。ズーム制御部６２は鏡胴駆動部６３と信号の授受を行い、制御プログラムに従ってズーム位置を移動し、ズーム位置検出部６３ｈで検出されたズーム位置情報を取得する。
【００３２】
上記ＬＥＤ群４３及び発光制御部４２は特許請求の範囲に記載のズーム位置表示手段あるいはズーム移動表示手段を構成する。また、上記ズーム制御部６２、鏡胴駆動部６３、及び撮影レンズ７は特許請求の範囲に記載の遠隔ズーミング手段あるいはズーム移動手段を構成する。
【００３３】
図５を参照し、写真撮影を行う際の表示部１７の発光状態の制御の一例を説明する。図５は、リモコン３からの表示要求信号又はズーム操作信号を受信した場合、ＣＰＵ３１が受信した信号に基づいて表示部１７の発光状態を制御する処理のフロー図である。
【００３４】
まず、リモコン受信回路４９で受信した信号が表示要求信号又はズーム操作信号の何れであるかの判断がされる（Ｓ１０２）。ズーム操作信号であると判断された場合は、信号により指示されたズーム移動の方向がワイド方向又はテレ方向の何れであるかが判断される（Ｓ１０４）。テレ方向であると判断された場合には、ズーム位置検出部６３ｈで現在のズーム位置が検出され、テレ位置であるか否かが判断され（Ｓ１０６）、テレ位置でないと判断された場合には鏡胴８が駆動され、ズーム位置がテレ方向へ１段階移動される（Ｓ１０８）。Ｓ１０６で現在のズーム位置がテレ位置であると判断された場合にはＳ１０８の処理は行われない。
【００３５】
Ｓ１０４で、信号により指示されたズーム移動の方向がテレ方向でない（ワイド方向である）と判断された場合には、現在のズーム位置がワイド位置であるか否かが判断され（Ｓ１１２）、ワイド位置でないと判断された場合にはズーム位置がワイド方向へ１段階移動される（Ｓ１１４）。Ｓ１１２で現在のズーム位置がワイド位置であると判断された場合にはＳ１１４の処理は行われない。
【００３６】
Ｓ１０２で、受信した信号がズーム操作信号でない（表示要求信号である）と判断された場合には、上記処理は行われず次の処理（Ｓ１２０）へ進む。
【００３７】
続いての処理では、ズーム位置が検出され、ズーム位置の表示（ワイド位置表示、ミドル位置表示、テレ位置表示）が行われる（Ｓ１２０〜Ｓ１２８）。まず、ズーム位置検出部６３ｈで現在のズーム位置が検出され、ズーム位置がテレ位置であるか否かが判断される（Ｓ１２０）。テレ位置であると判断された場合には後述するテレ位置表示が行われ（Ｓ１２２）、Ｓ１３２の処理へ進む。テレ位置でないと判断された場合にはズーム位置がミドル位置であるか否かが判断される（Ｓ１２４）。ミドル位置であると判断された場合には後述するミドル位置表示が行われ（Ｓ１２６）、Ｓ１３２の処理へ進む。ミドル位置でない（ワイド位置である）と判断された場合には後述するワイド位置表示が行われ（Ｓ１２８）、Ｓ１３２の処理へ進む。
【００３８】
ズーム位置の表示が終わったら、すべてのＬＥＤが消灯され、表示が消去される（Ｓ１３２）。最後に、リモコン３からの信号受信が継続していないことが確認され（Ｓ１３４）、発光状態を表示する処理が終了する。
【００３９】
上記のワイド位置表示、ミドル位置表示、テレ位置表示について説明する。これらの表示は、現在のズーム位置が何れの位置にあるかを表示部１７（ＬＥＤ１７ａ、１７ｂ、１７ｃ）の発光状態によって表わすものである。以下、図６を参照し、ワイド位置表示、ミドル位置表示、テレ位置表示の一例を説明する。図６は表示例をＬＥＤ１７ａ、１７ｂ、１７ｃの点灯・消灯のタイミングチャートとして示したものである。図６（ａ）、（ｂ）、（ｃ）がそれぞれワイド位置表示、ミドル位置表示、テレ位置表示を示している。
【００４０】
図に示すとおり、ワイド位置表示はＬＥＤ１７ａを点灯させ、ＬＥＤ１７ｂ、１７ｃは消灯させ、この状態を２５０ｍｓ間維持する表示である。ミドル位置表示はＬＥＤ１７ａ、１７ｂを点灯させ、ＬＥＤ１７ｃは消灯させ、この状態を２５０ｍｓ間維持する表示である。テレ位置表示はＬＥＤ１７ａ、１７ｂ、１７ｃを点灯させ、この状態を２５０ｍｓ間維持する表示である。
【００４１】
また、図７を参照し、ワイド位置表示、ミドル位置表示、テレ位置表示の別の例を説明する。図７は図６と同様に、表示例をＬＥＤ１７ａ、１７ｂ、１７ｃの点灯・消灯のタイミングチャートとして示したものである。図７（ａ）、（ｂ）、（ｃ）がそれぞれワイド位置表示、ミドル位置表示、テレ位置表示を示している。
【００４２】
図に示すとおり、ワイド位置表示は、ＬＥＤ１７ａ、１７ｂ、１７ｃすべてを２Ｈｚの周期で１回点滅させる表示である。ミドル位置表示は、ＬＥＤ１７ａ、１７ｂ、１７ｃすべてを２Ｈｚの周期で２回点滅させる表示である。テレ位置表示は、ＬＥＤ１７ａ、１７ｂ、１７ｃすべてを２Ｈｚの周期で３回点滅させる表示である。
【００４３】
ワイド位置表示、ミドル位置表示、テレ位置表示に対応するＬＥＤ群の発光状態としては、それぞれの位置に対応する発光状態が区別でき、一定の時間内で完結する発光状態であればさらに別の発光状態でもよく、上記の例には限定されない。
【００４４】
上記のように、表示部１７は発光状態によりズーム位置を表示するが、以下に説明するように、それ以外の別の動作状態を表示することにも用いられている。別の動作状態の表示としては、セルフタイマ撮影表示及びリモコン撮影表示が挙げられる。
【００４５】
セルフタイマ撮影表示について図８を参照し説明する。セルフタイマ撮影表示とは、撮影モード設定スイッチ２１（図１参照）の操作により、カメラの撮影モードがセルフタイマ撮影モードに設定された場合において、各時点の動作状態をユーザに知らせるための表示のことをいう。図８はセルフタイマ撮影モードに設定され、レリーズボタンが押された後の経過時間に対応したＬＥＤ１７ａ、１７ｂ、１７ｃの点灯・消灯のタイミングチャートである。
【００４６】
図８に示すとおり、セルフタイマ撮影モードにおいて、レリーズボタン押下後７秒間はＬＥＤ１７ａが点灯され、ＬＥＤ１７ｂ、１７ｃが消灯された状態が維持される。その後の３秒間、ＬＥＤ１７ａ、１７ｂ、１７ｃのすべてが４Ｈｚの周期で点滅する。その後カメラはレリーズ動作を行う。
【００４７】
上記のとおり、ＬＥＤ１７ａ、１７ｂ、１７ｃを有する表示部（表示手段）１７は、ＬＥＤ１７ａ、１７ｂ、１７ｃの発光状態によって、カメラの動作状態（レリーズ動作までの時間をカウントダウンしている状態や、各時点でのレリーズ動作が行われるまでの残り時間）を段階的に表示していることとなる。
【００４８】
リモコン撮影表示について図９を参照し説明する。リモコン撮影表示とは、撮影モード設定スイッチ２１（図１参照）の操作により、カメラの撮影モードがリモコン撮影モードに設定された場合において、各時点の動作状態をユーザに知らせるための表示のことをいう。図９はリモコン撮影モードに設定され、リモコン３のレリーズ信号を受信した後の経過時間に対応したＬＥＤ１７ａ、１７ｂ、１７ｃの点灯・消灯のタイミングチャートである。
【００４９】
図９に示すとおり、リモコン撮影モードにおいて、リモコン３のレリーズ信号を受信した後の２秒間はＬＥＤ１７ａ、１７ｂ、１７ｃのすべてが８Ｈｚの周期で点滅する。その後レリーズ動作がなされ、ＬＥＤ１７ａ、１７ｂ、１７ｃのすべてが消灯した状態を維持する。
【００５０】
上記のとおり、ＬＥＤ１７ａ、１７ｂ、１７ｃを有する表示部（表示手段）１７は、ＬＥＤ１７ａ、１７ｂ、１７ｃの発光状態によって、カメラの動作状態（レリーズ信号を受信し、レリーズ待機中である状態）を表示していることとなる。
【００５１】
本実施形態のカメラ１によれば、表示部１７がカメラ１の正面に設置されており、被写体側の方向から見えるため、リモコン撮影時に撮影者が被写体側に位置する場合にも、その位置からズーム位置を確認することができる。このため、撮影者は一旦カメラ近傍まで近いてズーム位置を確認する等の煩雑な作業をすることなく、適切なカメラの操作が可能となる。また、リモコン３にズーム位置を表示する装置等を設ける必要もなくなる。
【００５２】
また、カメラ１によれば、ズーム位置の表示はすべてのＬＥＤを消灯して終了し、一定の時間で完結するので、表示のための電力消費を低減し、電池寿命向上を図ることができる。また、カメラ１は表示要求信号を受信したときにもズーム位置表示が行われることとしており、撮影者はリモコン３を操作し表示要求信号を送信することによって知りたいときにいつでもズーム位置を知ることができる。このためズーム位置の表示を常時行う必要がなくなる。
【００５３】
また、カメラ１によれば、セルフタイマ撮影表示機能と、リモコン撮影表示機能と、ズーム位置の表示機能とを同一の表示部１７（ＬＥＤ１７ａ、１７ｂ、１７ｃ）が有しているので、部品点数を最小限に抑えることができる。
【００５４】
（第２実施形態）
以下、本発明の第２実施形態について説明する。本実施形態に係るカメラ１と第１実施形態に係るカメラ１との相違点は、ズーム位置が移動された際の表示部１７による表示の制御のみである。本実施形態に係るカメラ１はズーム位置が移動された場合に、表示部１７がズーム位置と共にズーム位置の移動の方向を表示するようになっている。
【００５５】
図１０を参照し、写真撮影を行う際の表示部１７の発光状態の制御の一例を説明する。図１０は、ＷＩＤＥスイッチ２７ａ又はＴＥＬＥスイッチ２７ｂが操作がされた場合に、ＣＰＵ３１が操作に基づいて表示部１７の発光状態を制御する処理のフロー図である。
【００５６】
まず、ＷＩＤＥスイッチ２７ａ又はＴＥＬＥスイッチ２７ｂの操作が検出され（Ｓ２０２）、操作されたスイッチによって処理が分かれる（Ｓ２０４）。
【００５７】
操作されたスイッチがＴＥＬＥスイッチ２７ｂの場合には、ズーム位置検出部６３ｈで現在のズーム位置が検出され、テレ位置であるか否かが判断される（Ｓ２０６）。テレ位置でないと判断された場合には鏡胴８が駆動され、ズーム位置がテレ方向へ１段階移動され（Ｓ２０８）、後述するテレ方向表示（ズーム位置の移動方向の表示）が行われる（Ｓ２１０）。Ｓ２０６で現在のズーム位置がテレ位置であると判断された場合にはＳ２０８、Ｓ２１０の処理は行わない。
【００５８】
Ｓ２０４において、操作されたスイッチがＷＩＤＥスイッチ２７ａである場合には、現在のズーム位置がワイド位置であるか否かが判断され（Ｓ２１２）、ワイド位置でないと判断された場合にはズーム位置がワイド方向へ１段階移動され（Ｓ２１４）後述するテレ方向表示（ズーム位置の移動方向の表示）が行われる（Ｓ２１６）。Ｓ２１２で現在のズーム位置がワイド位置であると判断された場合にはＳ２１４、Ｓ２１６の処理は行わない。
【００５９】
続いての処理では、ズーム位置が検出され、ズーム位置の表示（ワイド位置表示、ミドル位置表示、テレ位置表示）が行われる（Ｓ２２０〜Ｓ２２８）。まず、ズーム位置検出部６３ｈで現在のズーム位置が検出され、ズーム位置がテレ位置であるか否かが判断される（Ｓ２２０）。テレ位置であると判断された場合には後述するテレ位置表示が行われ（Ｓ２２２）、Ｓ２３２の処理へ進む。テレ位置でないと判断された場合にはズーム位置がミドル位置であるか否かが判断される（Ｓ２２４）。ミドル位置であると判断された場合には後述するミドル位置表示が行われ（Ｓ２２６）、Ｓ２３２の処理へ進む。ミドル位置でない（ワイド位置である）と判断された場合には後述するワイド位置表示が行われ（Ｓ２２８）、Ｓ２３２の処理へ進む。
【００６０】
ズーム位置の表示が終わったら、すべてのＬＥＤが消灯され、表示が消去される（Ｓ２３２）。以上で発光状態を表示する処理が終了する。
【００６１】
上記のワイド方向表示、テレ方向表示について説明する。これらの表示は、ズーム位置の移動が行われた場合に、ズーム位置の移動方向をＬＥＤ群（ＬＥＤ１７ａ、１７ｂ、１７ｃ）の発光状態によって表わすものである。以下、図１１を参照し、ワイド方向表示、テレ方向表示の一例を説明する。図１１は表示例をＬＥＤ１７ａ、１７ｂ、１７ｃの点灯・消灯のタイミングチャートとして示したものである。図１１（ａ）、（ｂ）がそれぞれワイド方向表示、テレ方向表示を示している。
【００６２】
図に示すとおり、ワイド方向表示はまず、ＬＥＤ１７ａのみを２５０ｍｓ間点灯させ、次にＬＥＤ１７ｂのみを２５０ｍｓ間点灯させ、次にＬＥＤ１７ｃのみを２５０ｍｓ間点灯させ、最後にすべてのＬＥＤを消灯した状態を２５０ｍｓ維持する表示である。テレ方向表示はまず、ＬＥＤ１７ｃのみを２５０ｍｓ間点灯させ、次にＬＥＤ１７ｂのみを２５０ｍｓ間点灯させ、次にＬＥＤ１７ａのみを２５０ｍｓ間点灯させ、最後にすべてのＬＥＤを消灯した状態を２５０ｍｓ維持する表示である。
【００６３】
ワイド方向表示、テレ方向表示に対応するＬＥＤ群の発光状態としては、それぞれのズーム移動方向に対応する発光状態が区別でき、一定の時間内で完結する表示であればさらに別の表示でもよく、上記の例には限定されない。
【００６４】
次に、上記のワイド位置表示、ミドル位置表示、テレ位置表示について説明する。これらの表示は、現在のズーム位置が何れの位置にあるかをＬＥＤ群（ＬＥＤ１７ａ、１７ｂ、１７ｃ）の発光状態によって表わすものである。以下、図１２を参照し、ワイド位置表示、ミドル位置表示、テレ位置表示の一例を説明する。図１２は表示例をＬＥＤ１７ａ、１７ｂ、１７ｃの点灯・消灯のタイミングチャートとして示したものである。図１２（ａ）、（ｂ）、（ｃ）がそれぞれワイド位置表示、ミドル位置表示、テレ位置表示を示している。
【００６５】
図に示すとおり、ワイド位置表示はＬＥＤ１７ｃを点灯させ、ＬＥＤ１７ａ、１７ｂは消灯させ、この状態を５００ｍｓ間維持する表示である。ミドル位置表示はＬＥＤ１７ｂを点灯させ、ＬＥＤ１７ａ、１７ｃは消灯させ、この状態を５００ｍｓ間維持する表示である。テレ位置表示はＬＥＤ１７ａを点灯させ、ＬＥＤ１７ｂ、１７ｃは消灯させ、この状態を５００ｍｓ間維持する表示である。
【００６６】
ワイド位置表示、ミドル位置表示、テレ位置表示に対応するＬＥＤ群の発光状態としては、それぞれの位置に対応する発光状態が区別でき、一定の時間内で完結する発光状態であればさらに別の発光状態（例えば第１実施形態で示した例）でもよく、上記の例には限定されない。
【００６７】
本実施形態のカメラ１によれば、ズーム位置が移動された場合の表示は、すべてのＬＥＤを消灯して終了し、一定の時間で完結するので、表示のための電力消費を低減し、電池寿命向上を図ることができる。また、表示はズーム位置の移動方向を表わす表示を含むので、撮影者はズーム位置が何れの側に移動されたかを知ることができ、ズーム位置の移動の方向に応じた適切な操作が可能となる。
【００６８】
また、表示部１７は、ズーム位置の表示の前に、ズーム位置の移動方向の表示を併せて行うこととしているので、撮影者の目を惹きやすく、ズーム位置の移動方向やズーム位置の確認が容易となる。ズーム位置の移動方向の表示は、ＬＥＤ１７ａ、１７ｂ、１７ｃを順番に点灯・消灯しているのでＬＥＤの発光が流れて移動しているように見える視覚効果があり、撮影者は表示部１７に注目しやすくなる。また、ＬＥＤの光が流れて移動しているように見える方向が、ズーム位置がワイド側へ移動した場合とテレ側へ移動した場合では逆になっているので、撮影者はズーム位置の移動方向を視覚的に確認することができる。
【００６９】
本実施形態のカメラ１は、ＷＩＤＥスイッチ２７ａ又はＴＥＬＥスイッチ２７ｂの操作によりズーム位置が移動した場合に上記表示を行うこととしているが、リモコン３のズーム操作信号によりズーム位置が移動した場合にも上記表示を行うようにしてもよい。
【００７０】
なお、本発明は上記した実施形態に限定されることなく種々の変形が可能である。例えば、上記した実施形態では、視認性を高くするため、表示部１７に高輝度が得られるＬＥＤを用いているが、それ以外の発光装置（例えば豆電球等）、液晶パネル、ＥＬパネル等を用いてもよい。また、表示部１７は３つのＬＥＤを用いているが、発光装置の個数は限定されない。
【００７１】
また、カメラ１はズーム位置をワイド、ミドル、テレの３段階に設定できるが、２段階や４段階以上に設定可能なカメラにも本発明は適用できる。ズーム位置をｎ段階に設定可能なカメラにおいては（ｎ≧２の整数）、ズーム位置の移動方向の表示は、ズーム操作がズーム位置をワイド側へ変更させる操作である場合は、第１〜第ｎの発光素子を第１〜第ｎの順に点灯し消灯させ、ズーム操作がズーム位置をテレ側へ変更させる操作である場合は、第１〜第ｎの発光素子を第ｎ〜第１の順に点灯し消灯させるように表示すればよい。また、ズーム位置の表示は検出したズーム位置をｉ段目とすれば、対応するｉ番目の発光素子を点灯させることによって表示すればよい。
【００７２】
【発明の効果】
上述したとおり、本発明によれば、ズーム位置の表示に要する電力の消費を低減し、電池寿命向上を図ることができるカメラを提供することができる。
【図面の簡単な説明】
【図１】実施形態に係るカメラ及びカメラを遠隔操作するリモコンを示す正面の斜視図である。
【図２】実施形態に係るカメラ及びカメラを遠隔操作するリモコンを示す背面の斜視図である。
【図３】実施形態に係るカメラの構成を示すブロック図である。
【図４】実施形態に係るカメラの、ＣＰＵ、ＬＥＤ群、リモコン受信回路、スイッチ群、鏡胴駆動部を示した模式図である。
【図５】実施形態に係るカメラの表示部の表示処理を示すフロー図である。
【図６】表示部のＬＥＤの点灯・消灯のタイミングチャートである。
【図７】表示部のＬＥＤの点灯・消灯のタイミングチャートである。
【図８】セルフタイマ撮影モードにおけるＬＥＤの点灯・消灯のタイミングチャートである。
【図９】リモコン撮影モードにおけるＬＥＤの点灯・消灯のタイミングチャートである。
【図１０】実施形態に係るカメラの表示部の表示処理を示すフロー図である。
【図１１】表示部のＬＥＤの点灯・消灯のタイミングチャートである。
【図１２】表示部のＬＥＤの点灯・消灯のタイミングチャートである。
【符号の説明】
１…カメラ、３…リモコン、７…撮影レンズ、８…鏡胴、３１…ＣＰＵ、４２…発光制御部、４３…ＬＥＤ群、６２…ズーム制御部、６３…鏡胴駆動部。
【図１】
2004325676.tif 000003
【図２】
2004325676.tif 000004
【図３】
2004325676.tif 000005
【図４】
2004325676.tif 000006
【図５】
2004325676.tif 000007
【図６】
2004325676.tif 000008
【図７】
2004325676.tif 000009
【図８】
2004325676.tif 000010
【図９】
2004325676.tif 000011
【図１０】
2004325676.tif 000012
【図１１】
2004325676.tif 000013
【図１２】
2004325676.tif 000014